(57)【要約】【課題】重ね合わされてその一部が互いに接着された複数枚の用紙を人手によらずに分離する。【解決手段】重ね合わされた複数枚の用紙に対して、用紙の一端部側となる第１の方向から空気を吹き付けるエアー供給ノズル６２及びエアー供給器６１と、エアー供給ノズル６２及びエアー供給器６１から吹き付けられ、複数枚の用紙間に入り込んだ空気が第１の方向とは反対側の第２の方向に抜けないように、用紙の第２の方向側の端部に当接して配置された上面支え板１１とを有する。【選択図】図１
2009067584.tif 000002
【特許請求の範囲】
【請求項１】
重ね合わされた複数枚の用紙に対して、前記用紙の一端部側となる第１の方向から空気を吹き付ける空気吹付手段と、
前記空気吹付手段から吹き付けられ、前記複数枚の用紙間に入り込んだ空気が前記第１の方向とは反対側の第２の方向に抜けないように、前記用紙の前記第２の方向側の端部に当接して配置された支持部材とを有する紙捌き装置。
【発明の詳細な説明】
【技術分野】
【０００１】
本発明は、重ね合わされた複数枚の用紙を１枚ずつに分離しやすいように捌く紙捌き装置に関し、特に、その一部が互いに接着された用紙を分離する技術に関する。
【背景技術】
【０００２】
近年、情報化社会の進展に伴って、情報を用いた手続きや処理が一般化している。その中で、このように手続きや処理に用いられる情報が不正あるいは偶発的に取得され、悪用されるケースが多発している。
【０００３】
そのため、情報の不用意な流通を避けることが要求されており、例えば、情報を通知するはがきにおいては、折り畳み可能に連なる複数のはがき片から構成され、はがき片の情報が印字された面どうしが対向するように折り畳まれてこれらが剥離可能に接着される圧着はがきが用いられている。この圧着はがきに用いられる接着剤は、加圧することにより接着されるものであって、塗工後、はがき片を折り畳んで加圧することにより、はがき片を剥離可能に接着することができる。このような圧着はがきは、連続状の用紙が単片状に断裁されることにより作製されている（例えば、特許文献１参照。）。
【０００４】
図９は、圧着はがきを作製するための圧着はがき用連続紙の一構成例を示す図であり、（ａ）は表面の構成を示す図、（ｂ）は（ａ）に示したＡ−Ａ’断面図である。
【０００５】
上述したような圧着はがきを作製する場合は、図９（ａ）に示すように、圧着はがきとなるはがき部５０１が連続した圧着はがき用連続紙５００が用いられる。本従来例における圧着はがき用連続紙５００は、圧着はがきとなるはがき部５０１がマージナル部５０３を介して連続し、図９（ｂ）に示すように、連続状のはがき用紙５０４の一方の面に感圧接着剤５０５が塗布されて構成されている。はがき部５０１の連続方向両端部には、マージナル部５０３と切り離されるためのカットライン５０２ａ，５０２ｂが設けられており、このカットライン５０２ａ，５０２ｂに沿ってはがき用紙５０４を断裁することにより、複数のはがき部５０１が単片状とされるとともに、マージナル部５０３がはがき部５０１から切り離される。その後、はがき部５０１が、感圧接着剤５０５が対向するように折り畳まれて圧力が加えられることにより、はがき部５０１を構成するはがき片が剥離可能に接着された圧着はがきが作製される。
【０００６】
このように、圧着はがきとなるはがき部５０１がマージナル部５０３を介して連続してなる圧着はがき用連続紙５００を用いて圧着はがきを作製する場合は、はがき部５０１の連続方向両端部に設けられたカットライン５０２ａ，５０２ｂに沿ってはがき用紙５０４を断裁することになるため、１枚のはがき部５０１に対して２回の断裁処理が必要となる。ここで、まず、はがき部５０１の連続方向両端部に設けられたカットライン５０２ａ，５０２ｂのうち一方のカットラインに沿ってのみはがき用紙５０４を断裁し、その後、はがき部５０１とマージナル部５０３とが組で単片状となったものを重ね合わせ、他方のカットラインに沿ってはがき用紙５０４を断裁すれば、断裁処理回数が削減され、圧着はがきの作製工程の簡略化を図ることができる。
【特許文献１】特開平１１−１０５４７１号公報
【発明の開示】
【発明が解決しようとする課題】
【０００７】
図１０は、図９に示した圧着はがき用連続紙５００から圧着はがきを作製する場合に、はがき部５０１とマージナル部５０３とが組で単片状となったものを重ね合わせた状態でカットライン５０２ｂに沿ってはがき用紙５０４を断裁する際の作用を説明するための図であり、（ａ）ははがき部５０１とマージナル部５０３とが組で単片状となったものを重ね合わせた状態を示す斜視図、（ｂ）は（ａ）に示した状態でカットライン５０２ｂに沿ってはがき用紙５０４が断裁された状態を示す斜視図である。
【０００８】
図９に示した圧着はがき用連続紙５００を用いて圧着はがきを作製する場合、まず、カットライン５０２ａに沿ってはがき用紙５０４を断裁して単片状とし、その後、図１０（ａ）に示したように重ね合わせ、カットライン５０２ｂに沿ってはがき用紙５０４を断裁する。
【０００９】
すると、カットライン５０２ｂに断裁による圧力が加わるため、重ね合わされた複数のはがき部５０１において、図１０（ｂ）に示すように、カットライン５０２ｂの近傍に互いに接着した接着部５０４ａが生じてしまうことになる。
【００１０】
重ね合わされた複数のはがき部５０１が、カットライン５０２ｂの近傍等の一部にて互いに接着した場合は、その後、はがき部５０１をフィード処理する際に、互いに接着されたはがき部５０１が複数枚一度にフィードされてしまう等といった不具合が生じてしまうという問題点がある。
【００１１】
本発明は、上述したような従来の技術が有する問題点に鑑みてなされたものであって、重ね合わされてその一部が互いに接着された複数枚の用紙を人手によらずに分離することができる紙捌き装置を提供することを目的とする。
【課題を解決するための手段】
【００１２】
上記目的を達成するために本発明は、
重ね合わされた複数枚の用紙に対して、前記用紙の一端部側となる第１の方向から空気を吹き付ける空気吹付手段と、
前記空気吹付手段から吹き付けられ、前記複数枚の用紙間に入り込んだ空気が前記第１の方向とは反対側の第２の方向に抜けないように、前記用紙の前記第２の方向側の端部に当接して配置された支持部材とを有する。
【００１３】
上記のように構成された本発明においては、重ね合わされた複数枚の用紙に対して、用紙の一端部側となる第１の方向から空気吹付手段によって空気が吹き付けられると、吹き付けられた空気が複数枚の用紙間に入り込んで、複数枚の用紙が分離することになる。複数枚の用紙間に入り込んだ空気は、第１の方向とは反対側の第２の方向に抜けようとするが、複数枚の用紙の第２の方向側の端部に当接して配置された支持部材によって第２の方向に抜けることが妨げられ、複数枚の用紙間に戻るように対流する。そして、複数枚の用紙間に互いに接着した接着部分が生じている場合、対流した空気がその接着部分に当たり、それにより、接着部分が剥離して、一部が互いに接着された複数枚の用紙が分離することになる。
【発明の効果】
【００１４】
以上説明したように本発明においては、重ね合わされた複数枚の用紙に対して、用紙の一端部側となる第１の方向から空気を吹き付ける空気吹付手段と、空気吹付手段から吹き付けられ、複数枚の用紙間に入り込んだ空気が第１の方向とは反対側の第２の方向に抜けないように、用紙の第２の方向側の端部に当接して配置された支持部材とを有する構成としたため、空気吹付手段から吹き付けられ、複数枚の用紙間に入り込んだ空気が支持部材によって複数枚の用紙間に戻るように対流し、それにより、重ね合わされた用紙のうち一部が互いに接着された用紙においては、対流した空気がその接着部分に当たり、接着部分が剥離することになり、重ね合わされてその一部が互いに接着された複数枚の用紙を人手によらずに分離することができる。
【発明を実施するための最良の形態】
【００１５】
以下に、本発明の実施の形態について図面を参照して説明する。
【００１６】
（第１の実施の形態）
図１は、本発明の紙捌き装置の第１の実施の形態を示す図であり、（ａ）は外観斜視図、（ｂ）は（ａ）に示した上面支え板１１を取り外して上面から見た図である。また、図２は、図１に示したエアー供給ノズル６２の詳細な構造を示す図である。
【００１７】
本形態は図１に示すように、重ね合わされた複数枚の用紙が載置される載置台３０と、載置台３０上にてそれぞれ互いに対向して配置された挟持板１０ａ，１０ｂ及び端面支え部材２０ａ，２０ｂと、載置台３０上に載置された複数枚の用紙の上面側の端部に当接するように配置された支持部材である上面支え板１１と、載置台３０上に載置された複数枚の用紙の下面側の端部を支える２本の下面支え軸１２ａ，１２ｂと、載置台３０上に固定され、ばね３２ａ，３２ｂを介して挟持板１０ａ，１０ｂをそれぞれ支持する支持板３１ａ，３１ｂと、載置台３０上に載置された複数枚の用紙に対して空気を吹き付ける空気吹付手段を構成するエアー供給器６１及びエアー供給ノズル６２とから構成されている。
【００１８】
端面支え部材２０ａ，２０ｂは、載置台３０の端面支え部材２０ａ，２０ｂと挟持板１０ａ，１０ｂによって囲まれた領域に載置された複数枚の用紙の端部を支えるものであって、載置台３０上に載置される用紙の大きさに合わせて互いの間隔を調節できるように移動自在に構成されている。
【００１９】
挟持板１０ａ，１０ｂは、載置台３０の端面支え部材２０ａ，２０ｂと挟持板１０ａ，１０ｂとによって囲まれた領域に載置された複数枚の用紙を表裏から挟み込んで支えるものであって、それぞればね３２ａ，３２ｂを介して支持板３１ａ，３１ｂに固定されていることにより、互いに間隔が可変となるように構成されている。
【００２０】
載置台３０には、端面支え部材２０ａ，２０ｂと挟持板１０ａ，１０ｂとによって囲まれた領域に表裏貫通した穴部３３が形成されており、この穴部３３に対向する領域に、エアー供給器６１から供給された空気を排出するエアー供給ノズル６２が配置されている。それにより、エアー供給器６１から供給された空気が載置台３０の穴部３３が形成された領域に対してエアー供給ノズル６２によって吹き付けられることになる。そして、エアー供給ノズル６２は、載置台３０の端面支え部材２０ａ，２０ｂと挟持板１０ａ，１０ｂとによって囲まれた領域に載置された用紙の辺方向に支持軸６３によって穴部３３に対向しながら移動可能に構成されるとともに、この支持軸６３が、用紙の重ね合わせ方向に支持軸６５ａ，６５ｂによって穴部３３に対向しながら移動可能であることから、用紙の重ね合わせ方向にも移動可能に構成されている。また、図２に示すように、エアー供給ノズル６２はその先端部が複数のエアー吹出口６４からなり、複数のエアー吹出口６４は、載置台３０の端面支え部材２０ａ，２０ｂと挟持板１０ａ，１０ｂとによって囲まれた領域に載置された用紙の重ね合わせ方向に直交する方向に配列されている。すなわち、エアー供給ノズル６２は、載置台３０の端面支え部材２０ａ，２０ｂと挟持板１０ａ，１０ｂとによって囲まれた領域に重ね合わされて載置された複数枚の用紙に対して、用紙の一端部側となる第１の方向から空気を吹き付けることになる。
【００２１】
下面支え軸１２ａ，１２ｂは、載置台３０の端面支え部材２０ａ，２０ｂと挟持板１０ａ，１０ｂとによって囲まれた領域に載置された複数枚の用紙の、エアー供給ノズル６２によって空気が吹き付けられる側の端部を支えるものであって、載置台３０の穴部３３において、挟持板１０ａ，１０ｂが対向する方向に掛け渡されている。
【００２２】
上面支え板１１は、載置台３０の端面支え部材２０ａ，２０ｂと挟持板１０ａ，１０ｂとによって囲まれた領域に載置された複数枚の用紙の、エアー供給ノズル６２によって空気が吹き付けられる側とは反対側の端部に当接するように配置され、固定柱１３ａ，１３ｂによって載置台３０に取り外し可能に固定されている。そして、この上面支え板１１と端面支え部材２０ａ，２０ｂと挟持板１０ａ，１０ｂとが、載置台３０の用紙が載置された領域を上面側から覆いかぶさるようになっている。これにより、エアー供給ノズル６２から吹き付けられ、複数枚の用紙間に入り込んだ空気が第１の方向とは反対側の第２の方向、すなわち、エアー供給ノズル６２によって空気が吹き付けられる側とは反対側の端部側から抜けないようになっている。
【００２３】
以下に、上記のように構成された紙捌き装置１を用いた紙捌き方法について説明する。
【００２４】
まず、上記のように構成された紙捌き装置１にて捌かれる用紙について説明する。
【００２５】
図３は、図１に示した紙捌き装置１にて捌かれる用紙の一例を示す図であり、（ａ）は複数枚重ね合わされた断面図、（ｂ）は複数枚重ね合わされた斜視図である。
【００２６】
図１に示した紙捌き装置１にて捌かれる用紙としては、例えば、図３（ａ）に示すように、はがき用紙２の一方の面に感圧接着剤３が塗布された圧着はがきが挙げられる。このような圧着はがきが重ね合わされた状態でその端部が断裁されると、断裁による圧力が加わるため、図３（ｂ）に示すように、重ね合わされた複数のはがき用紙２の断裁領域近傍において、感圧接着剤３によって互いに接着した接着部３ａが生じている。
【００２７】
このように重ね合わされた圧着はがきは、接着部３ａが生じた端部が下面側となるように、載置台３０の端面支え部材２０ａ，２０ｂと挟持板１０ａ，１０ｂとによって囲まれた領域に載置されることになる。
【００２８】
図４は、図１に示した紙捌き装置１の載置台３０上に図３に示したように重ね合わされた圧着はがき４が載置された状態を示す図であり、（ａ）は上面支え板１１を取り外して上面から見た図、（ｂ）は端面支え部材２０ｂ側から見た図である。
【００２９】
図４に示すように、図１に示した紙捌き装置１の上面支え板１１が取り外され、図３に示したように重ね合わされた圧着はがき４が、載置台３０の端面支え部材２０ａ，２０ｂと挟持板１０ａ，１０ｂとによって囲まれた領域に、接着部３ａが生じた端部が下面側となるように載置され、挟持板１０ａ，１０ｂによって表裏から挟み込まれ、かつ、両端部が端面支え部材２０ａ，２０ｂによって支えられた状態となる。またこの際、載置台３０に載置された圧着はがき４の下面側、すなわち、接着部３ａが生じた端部は下面支え軸１２ａ，１２ｂによって支えられ、また、上面支え板１１を戻すことにより、圧着はがき４の上面側の端部は上面支え板１１に当接した状態となる。
【００３０】
次に、上述したように紙捌き装置１の載置台３０上に載置された複数枚の圧着はがき４を捌く際の動作について説明する。
【００３１】
図５は、図１に示した紙捌き装置１にて載置台３０上に載置された圧着はがき４を捌く際の動作を説明するための図であり、（ａ）は端面支え部材２０ｂ側から見た図、（ｂ）は挟持板１０ｂ側から見た図である。
【００３２】
図５に示すように、複数枚の圧着はがき４を、その圧着はがき４の一端部がそれぞれ下面支え軸１２ａ，１２ｂに当接するように載置台３０上に載置し、上述したように一対の挟持板１０ａ，１０ｂによって表裏から挟み込み、空気吹付部であるエアー供給器６１及びエアー供給ノズル６２を駆動させると、エアー供給器６１からエアー供給ノズル６２に空気が送られてエアー供給ノズル６２のエアー吹出口６４から空気が排出されるとともに、エアー供給ノズル６２が端面支え部材２０ｂ側から端面支え部材２０ａ側に支持軸６３に沿って移動しはじめる。
【００３３】
エアー供給ノズル６２は、載置台３０の穴部３３に対向する領域に配置されているため、エアー供給器６１から供給された空気は、エアー供給ノズル６２によって、載置台３０の穴部３３から表出した圧着はがき４の端部側となる第１の方向から吹き付けられる。また、初期状態として、支持軸６３が挟持板１０ｂ側に配置され、かつ、エアー供給ノズル６２が端面支え部材２０ｂ側に配置されているため、エアー供給ノズル６２から排出された空気は、載置台３０上に載置された圧着はがき４のうち、まず、挟持板１０ｂに接している圧着はがき４に対して、端面支え部材２０ｂ側の端部から端面支え部材２０ａ側の端部に順次吹き付けられ、その後、支持軸６３が支持軸６５ａ，６５ｂ上を挟持板１０ａ側に移動していくことにより、その他の圧着はがきについて、上述したように端面支え部材２０ａ，２０ｂの一方の側の端部から他方の側の端部に１枚ずつ順次吹き付けられていくことになる。
【００３４】
エアー供給ノズル６２から排出された空気が、載置台３０上に載置された圧着はがき４に吹き付けられると、図５（ａ）に示すように、エアー供給ノズル６２によって吹き付けられた空気が圧着はがき４の表裏、すなわち、載置台３０上に載置された複数枚の圧着はがき４の間に入り込み、それにより、載置台３０上に載置された複数枚の圧着はがき４がエアー供給ノズル６２から吹き付けられた空気によって一旦分離する。この際、挟持板１０ａ，１０ｂが、それぞればね３２ａ，３２ｂを介して支持板３１ａ，３１ｂに支持されているので、挟持板１０ａ，１０ｂの間隔が、複数枚の圧着はがき４間に入り込んだ空気の分だけ広がり、複数枚の圧着はがき４が分離することを妨げることがない。
【００３５】
その後、エアー供給ノズル６２から吹き付けられ、載置台３０上に載置された複数枚の圧着はがき４の間に入り込んだ空気は、圧着はがき４のエアー供給ノズル６２から空気が吹き付けられる端部とは反対側の端部から抜けようとするが、その端部には上面支え板１１が当接しているため、図５（ｂ）に示すように、エアー供給ノズル６２から吹き付けられ、載置台３０上に載置された複数枚の圧着はがき４の間に入り込んだ空気がエアー供給ノズル６２とは反対側には抜けずに、上面支え板１１に当たった後、複数枚の圧着はがき４間に戻るように対流する。そして、対流した空気は、複数枚の圧着はがき４が互いに接着した接着部３ａに当たり、それにより、接着部３ａが剥離して、一部が互いに接着された複数枚の圧着はがき４が分離することになる。
【００３６】
このように、重ね合わされた複数枚の圧着はがき４を分離しやすく捌く際に、重ね合わされた複数枚の圧着はがき４に接着部３ａが生じている場合であっても、圧着はがき４を捌くためにエアー供給ノズル６２から吹き付けられる空気によって接着部３ａが剥離して、互いに接着されていた複数枚の圧着はがき４を分離することができる。
【００３７】
（第２の実施の形態）
図６は、本発明の紙捌き装置の第２の実施の形態を示す図であり、（ａ）は外観斜視図、（ｂ）は（ａ）に示した上面支え板１１を取り外して上面から見た図である。また、図７は、図６に示したエアー供給ノズル１６２の詳細な構造を示す図である。
【００３８】
本形態は図６に示すように、第１の実施の形態にて示したものに対して、載置台３０に載置された複数枚の用紙を表裏から挟み込む２枚の挟持板１０ａ，１０ｂのうち、一方の挟持板１０ａが固定軸１３２によって支持板３１ａに固定されており、また、エアー供給ノズル１６２が、重ね合わされた複数枚の用紙の全幅に渡って配列されたエアー吹出口１４を有し、支持軸１６３によって用紙の重ね合わせ方向に移動可能に設けられている点が異なるものである。さらに、本形態においては、エアー供給ノズル１６２の支持軸１６３に沿った移動方向下流側に、複数枚の用紙の下側の端部に接する程度の高さを有するＵ字型の扱きプレート１６５が設けられている。なお、この扱きプレート１６５は、エアー供給ノズル１６２とともに支持軸１６３に沿って用紙の重ね合わせ方向に移動することになるため、２本の下面支え軸１２ａ，１２ｂに当接しないように３つに分割されている。
【００３９】
以下に、上記のように構成された紙捌き装置１０１を用いた紙捌き方法について説明する。
【００４０】
図８は、図６及び図７に示した紙捌き装置１０１を用いた紙捌き方法を説明するための図であり、端面支え部材２０ｂ側から見た図である。
【００４１】
図６及び図７に示した紙捌き装置１０１にて捌かれる用紙としては、図３に示したように、一端部側に互いに接着した接着部３ａが生じた圧着はがき４が用いられ、接着部３ａが生じた端部が下面側となるように、載置台３０の端面支え部材２０ａ，２０ｂと挟持板１０ａ，１０ｂとによって囲まれた領域に載置される。
【００４２】
複数枚の圧着はがき４を、その圧着はがき４の一端部がそれぞれ下面支え軸１２ａ，１２ｂに当接するように載置台３０上に載置し、一対の挟持板１０ａ，１０ｂによって表裏から挟み込み、空気吹付部であるエアー供給器６１及びエアー供給ノズル１６２を駆動させると、エアー供給器６１からエアー供給ノズル１６２に空気が送られてエアー供給ノズル１６２のエアー吹出口１６４から空気が排出されるとともに、エアー供給ノズル１６２が挟持板１０ｂ側から挟持板１０ａ側に支持軸１６３に沿って移動しはじめる。
【００４３】
エアー供給ノズル１６２は、載置台３０の穴部３３に対向する領域に配置されているため、エアー供給器６１から供給された空気は、エアー供給ノズル１６２によって、載置台３０の穴部３３から表出した圧着はがき４の端部側となる第１の方向から吹き付けられる。また、エアー供給ノズル１６２は、初期状態として、挟持板１０ｂ側に配置されており、また、エアー供給ノズル１６２を構成する複数のエアー吹出口１６４が、載置台３０上に載置された圧着はがき４の重ね合わせ方向に直交する方向に圧着はがき４の全幅に渡って配列されているため、エアー供給ノズル１６２から排出された空気は、載置台３０上に載置された圧着はがき４のうち、まず、挟持板１０ｂに接している圧着はがき４の全幅に渡って吹き付けられ、その後、エアー供給ノズル１６２の移動に伴って、その他の圧着はがきに１枚ずつ全幅に渡って順次吹き付けられていくことになる。
【００４４】
エアー供給ノズル１６２から排出された空気が、載置台３０上に載置された圧着はがき４に吹き付けられると、図８に示すように、エアー供給ノズル１６２によって吹き付けられた空気が圧着はがき４の表裏、すなわち、載置台３０上に載置された複数枚の圧着はがき４の間に入り込み、それにより、載置台３０上に載置された複数枚の圧着はがき４がエアー供給ノズル１６２から吹き付けられた空気によって一旦分離する。この際、挟持板１０ｂがばね３２ｂを介して支持板３１ｂに支持されているので、挟持板１０ａ，１０ｂの間隔が、複数枚の圧着はがき４間に入り込んだ空気の分だけ広がり、複数枚の圧着はがき４が分離することを妨げることがない。
【００４５】
またこの際、エアー供給ノズル１６２が支持軸１６３によって圧着はがき４の重ね合わせ方向に移動すると、図８に示すように、エアー供給ノズル１６２に設けられた扱きプレート１６５が圧着はがき４の接着部３ａが生じた端部に当接し、圧着はがき４の接着部３ａが生じた端部がエアー供給ノズル１６２の移動方向下流側に折れ曲げられることによって扱かれ、接着部３ａの少なくとも一部が剥離していくことになる。なお、挟持板１０ａは、扱きプレート１６５による圧着はがき４の折れ曲がりを妨げないように、その下部がエアー供給ノズル１６２の移動方向下流側に折れ曲がっている。
【００４６】
そして、接着部３ａが生じた端部が扱きプレート１６５によって捌かれた圧着はがき４には、エアー供給ノズル１６２から空気が吹き付けられ、第１の実施の形態にて示したものと同様の作用が生じて複数枚の圧着はがき４の接着部３ａが完全に剥離することになる。
【００４７】
このように、圧着はがき４の接着部３ａが生じた端部が扱きプレート１６５によって扱かれた後に、エアー供給ノズル１６２から排出された空気が圧着はがき４に吹き付けられることにより、圧着はがき４の一方の端部の全幅に渡って接着部３ａが生じている場合であっても、複数枚の圧着はがき４を分離し、その後、フィードする際に分離しやすくすることができる。
【００４８】
なお、本形態においては、エアー供給ノズル１６２を構成する複数のエアー吹出口１６４が、載置台３０の端面支え部材２０ａ，２０ｂと挟持板１０ａ，１０ｂとによって囲まれた領域に載置された用紙の重ね合わせ方向に直交する方向に、用紙の全幅に渡って配列され、それにより、エアー供給ノズル１６２が、載置台３０の端面支え部材２０ａ，２０ｂと挟持板１０ａ，１０ｂとによって囲まれた領域に重ね合わされて載置された複数枚の用紙に対して、用紙の全幅に渡って空気を吹き付けているが、用紙の全幅よりも狭い幅を有する複数のエアー供給ノズル１６２を用紙の重ね合わせ方向に直交する方向に配列することも考えられる。
【００４９】
また、上述した２つの実施の形態にて示した紙捌き装置１，１０１によって分離される用紙としては、上述したような圧着はがき４に限らず、用紙に施された接着加工によって複数枚重ね合わされた状態においてその一部が接着したものであれば適用することができる。また、その接着領域においては、載置台３０上に載置された場合に下面側となる端部に限らない。
【図面の簡単な説明】
【００５０】
【図１】本発明の紙捌き装置の第１の実施の形態を示す図であり、（ａ）は外観斜視図、（ｂ）は（ａ）に示した上面支え板を取り外して上面から見た図である。
【図２】図１に示したエアー供給ノズルの詳細な構造を示す図である。
【図３】図１に示した紙捌き装置１にて捌かれる用紙の一例を示す図であり、（ａ）は複数枚重ね合わされた断面図、（ｂ）は複数枚重ね合わされた斜視図である。
【図４】図１に示した紙捌き装置の載置台上に図３に示したように重ね合わされた圧着はがきが載置された状態を示す図であり、（ａ）は上面支え板を取り外して上面から見た図、（ｂ）は端面支え部材側から見た図である。
【図５】図１に示した紙捌き装置１にて載置台上に載置された圧着はがきを捌く際の動作を説明するための図であり、（ａ）は端面支え部材側から見た図、（ｂ）は挟持板側から見た図である。
【図６】本発明の紙捌き装置の第２の実施の形態を示す図であり、（ａ）は外観斜視図、（ｂ）は（ａ）に示した上面支え板を取り外して上面から見た図である。
【図７】図６に示したエアー供給ノズルの詳細な構造を示す図である。
【図８】図６及び図７に示した紙捌き装置を用いた紙捌き方法を説明するための図である。
【図９】圧着はがきを作製するための圧着はがき用連続紙の一構成例を示す図であり、（ａ）は表面の構成を示す図、（ｂ）は（ａ）に示したＡ−Ａ’断面図である。
【図１０】図９に示した圧着はがき用連続紙から圧着はがきを作製する場合に、はがき部とマージナル部とが組で単片状となったものを重ね合わせた状態でカットラインに沿ってはがき用紙を断裁する際の作用を説明するための図であり、（ａ）ははがき部とマージナル部とが組で単片状となったものを重ね合わせた状態を示す斜視図、（ｂ）は（ａ）に示した状態でカットラインに沿ってはがき用紙が断裁された状態を示す斜視図である。
【符号の説明】
【００５１】
１，１０１    紙捌き装置
２    はがき用紙
３    感圧接着剤
３ａ    接着部
４    圧着はがき
１０ａ，１０ｂ    挟持板
１１    上面支え板
１２ａ，１２ｂ    下面支え軸
１３ａ，１３ｂ    固定柱
２０ａ，２０ｂ    端面支え部材
３０    載置台
３１ａ，３１ｂ    支持板
３２ａ，３２ｂ    ばね
３３    穴部
６１    エアー供給器
６２，１６２    エアー供給ノズル
６３，６５ａ，６５ｂ，１６３    支持軸
６４，１６４    エアー吹出口
１３２    固定軸
１６５    扱きプレート
【図１】
2009067584.tif 000003
【図２】
2009067584.tif 000004
【図３】
2009067584.tif 000005
【図４】
2009067584.tif 000006
【図５】
2009067584.tif 000007
【図６】
2009067584.tif 000008
【図７】
2009067584.tif 000009
【図８】
2009067584.tif 000010
【図９】
2009067584.tif 000011
【図１０】
2009067584.tif 000012